(57)【特許請求の範囲】
【請求項１】
家具を購入しようとするユーザのユーザ情報を取得するユーザ情報取得部と、
前記ユーザから、部屋の間取り情報として、前記ユーザが前記部屋を撮影した画像情報または映像情報の入力を受け付ける間取り情報受付部と、
受け付けた前記画像情報または前記映像情報に基づき、３Ｄモデル化された三次元空間を生成する三次元空間生成部と、
前記ユーザ情報、及び前記画像情報または前記映像情報に基づき、あらかじめ記憶されている家具情報から前記ユーザに適した家具情報を選択し、選択された前記家具情報に係る家具を前記三次元空間に配置する家具配置部と、
前記家具が配置された前記三次元空間と、前記家具情報としての前記家具の物品情報または価格情報と、を前記ユーザへ提示する三次元空間提示部と、
前記ユーザから、前記家具が配置された前記三次元空間における前記家具の購入の入力を受け付ける購入受付部と、を備え、
前記三次元空間生成部は、前記画像情報または前記映像情報を解析し、前記解析の結果による前記ユーザの部屋の壁面との距離に基づいて前記三次元空間における前記ユーザの部屋内部の寸法を決定し、
前記家具配置部は、前記画像情報または前記映像情報を解析し、前記解析の結果に基づいて前記部屋に対する前記ユーザの嗜好による雰囲気を示す雰囲気情報を決定し、決定した前記雰囲気情報と、前記寸法とから、前記ユーザに適した家具情報を選択して前記三次元空間に配置する、情報提供装置。
【請求項２】
前記家具配置部は、あらかじめ記憶されている３Ｄモデル化された家具情報から、選択された前記家具情報に係る家具を前記三次元空間に配置し、
前記三次元空間提示部は、３Ｄモデル化された前記三次元空間に前記家具が配置された状態を前記ユーザへ提示する、請求項１に記載の情報提供装置。
【請求項３】
前記家具が配置された前記三次元空間において、配置された前記家具を前記三次元空間における他の位置へ移動、配置された前記家具を他の前記家具へ変更、または配置された前記家具を削除する変更削除受付部を備える、請求項１または請求項２に記載の情報提供装置。
【請求項４】
前記ユーザ情報取得部は、前記ユーザの属性情報と、前記ユーザの部屋の好みを示す嗜好情報と、を取得する、請求項１から請求項３のいずれか１項に記載の情報提供装置。
【請求項５】
前記家具配置部は、前記属性情報に基づき、類似する属性情報を有する他のユーザが過去に家具を購入した購入情報から、前記ユーザに適した家具情報を選択する、請求項４に記載の情報提供装置。
【請求項６】
前記家具配置部は、前記ユーザへの１または複数の質問に対する回答に基づいて前記ユーザの嗜好情報を決定し、決定した前記嗜好情報から、前記ユーザに適した家具情報を選択する、請求項４または請求項５に記載の情報提供装置。
【請求項７】
前記家具配置部は、前記家具情報として記憶されている家具の物品情報、形状情報、色情報、または価格情報のいずれか１つまたは複数に基づき、前記ユーザに適した家具情報を選択する、請求項１から請求項６のいずれか１項に記載の情報提供装置。
【請求項８】
前記間取り情報受付部は、前記部屋の水平方向における所定の位置を特徴点として設定し、撮影方向の移動による前記特徴点からの座標の変位情報として前記画像情報または前記映像情報を受け付ける、請求項１から請求項７のいずれか１項に記載の情報提供装置。
【請求項９】
前記三次元空間生成部は、前記三次元空間を二次元の平面上に投影するための座標変換を行う、請求項１から請求項８のいずれか１項に記載の情報提供装置。
【請求項１０】
前記三次元空間提示部は、前記家具が配置された前記三次元空間を、全方位画像または全天球画像により前記ユーザへ提示する、請求項１から請求項９のいずれか１項に記載の情報提供装置。
【請求項１１】
前記三次元空間提示部は、前記家具が配置された前記三次元空間を、ＶＲゴーグルに表示させて前記ユーザへ提示する、請求項１から請求項１０のいずれか１項に記載の情報提供装置。
【請求項１２】
情報提供装置と、ユーザ端末と、を備える情報提供システムであって、
前記情報提供装置は、
家具を購入しようとするユーザのユーザ情報を取得するユーザ情報取得部と、
前記ユーザ端末から、部屋の間取り情報として、前記ユーザが前記部屋を撮影した画像情報または映像情報を受信する間取り情報受付部と、
受け付けた前記画像情報または前記映像情報に基づき、３Ｄモデル化された三次元空間を生成する三次元空間生成部と、
前記ユーザ情報、及び前記画像情報または前記映像情報に基づき、あらかじめ記憶されている家具情報から前記ユーザに適した家具情報を選択し、選択された前記家具情報に係る家具を前記三次元空間に配置する家具配置部と、
前記家具が配置された前記三次元空間と、前記家具情報としての前記家具の物品情報または価格情報と、を前記ユーザ端末へ送信する三次元空間提示部と、
前記ユーザから、前記家具が配置された前記三次元空間における前記家具の購入の入力を受け付ける購入受付部と、を備え、
前記三次元空間生成部は、前記画像情報または前記映像情報を解析し、前記解析の結果による前記ユーザの部屋の壁面との距離に基づいて前記三次元空間における前記ユーザの部屋内部の寸法を決定し、
前記家具配置部は、前記画像情報または前記映像情報を解析し、前記解析の結果に基づいて前記部屋に対する前記ユーザの嗜好による雰囲気を示す雰囲気情報を決定し、決定した前記雰囲気情報と、前記寸法とから、前記ユーザに適した家具情報を選択して前記三次元空間に配置し、
前記ユーザ端末は、
前記ユーザから、前記画像情報または前記映像情報の入力を受け付けて前記情報提供装置へ送信する間取り情報送信部と、
前記家具が配置された前記三次元空間を前記情報提供装置から受信し、前記ユーザへ表示する三次元空間表示部と、を備える、情報提供システム。
【請求項１３】
ユーザ情報取得部が行う、家具を購入しようとするユーザのユーザ情報を取得するユーザ情報取得ステップと、
間取り情報受付部が行う、前記ユーザから、部屋の間取り情報として、前記ユーザが前記部屋を撮影した画像情報または映像情報の入力を受け付ける間取り情報受付ステップと、
三次元空間生成部が行う、受け付けた前記画像情報または前記映像情報に基づき、３Ｄモデル化された三次元空間を生成する三次元空間生成ステップと、
家具配置部が行う、前記ユーザ情報、及び前記画像情報または前記映像情報に基づき、あらかじめ記憶されている家具情報から前記ユーザに適した家具情報を選択し、選択された前記家具情報に係る家具を前記三次元空間に配置する家具配置ステップと、
三次元空間提示部が行う、前記家具が配置された前記三次元空間と、前記家具情報としての前記家具の物品情報または価格情報と、を前記ユーザへ提示する三次元空間提示ステップと、
前記ユーザから、前記家具が配置された前記三次元空間における前記家具の購入の入力を受け付ける購入受付ステップと、を備え、
前記三次元空間生成ステップでは、前記画像情報または前記映像情報を解析し、前記解析の結果による前記ユーザの部屋の壁面との距離に基づいて前記三次元空間における前記ユーザの部屋内部の寸法を決定し、
前記家具配置ステップでは、前記画像情報または前記映像情報を解析し、前記解析の結果に基づいて前記部屋に対する前記ユーザの嗜好による雰囲気を示す雰囲気情報を決定し、決定した前記雰囲気情報と、前記寸法とから、前記ユーザに適した家具情報を選択して前記三次元空間に配置する、情報提供方法。
【請求項１４】
家具を購入しようとするユーザのユーザ情報を取得するユーザ情報取得ステップと、
前記ユーザから、部屋の間取り情報として、前記ユーザが前記部屋を撮影した画像情報または映像情報の入力を受け付ける間取り情報受付ステップと、
受け付けた前記画像情報または前記映像情報に基づき、３Ｄモデル化された三次元空間を生成する三次元空間生成ステップと、
前記ユーザ情報、及び前記画像情報または前記映像情報に基づき、あらかじめ記憶されている家具情報から前記ユーザに適した家具情報を選択し、選択された前記家具情報に係る家具を前記三次元空間に配置する家具配置ステップと、
前記家具が配置された前記三次元空間と、前記家具情報としての前記家具の物品情報または価格情報と、を前記ユーザへ提示する三次元空間提示ステップと、
前記ユーザから、前記家具が配置された前記三次元空間における前記家具の購入の入力を受け付ける購入受付ステップと、を電子計算機に実行させるための、情報提供プログラムであって、
前記三次元空間生成ステップでは、前記画像情報または前記映像情報を解析し、前記解析の結果による前記ユーザの部屋の壁面との距離に基づいて前記三次元空間における前記ユーザの部屋内部の寸法を決定し、
前記家具配置ステップでは、前記画像情報または前記映像情報を解析し、前記解析の結果に基づいて前記部屋に対する前記ユーザの嗜好による雰囲気を示す雰囲気情報を決定し、決定した前記雰囲気情報と、前記寸法とから、前記ユーザに適した家具情報を選択して前記三次元空間に配置する、情報提供プログラム。
【発明の詳細な説明】
【技術分野】
【０００１】
本開示は、購入候補の家具が配置された三次元空間を提示する情報提供装置、情報提供システム、情報提供方法及び情報提供プログラムに関する。
【背景技術】
【０００２】
近年、インターネット等の媒体を介して商品の販売を行う通信販売が普及してきている。特に、店舗で購入してから自宅へ搬入するのに手間がかかる、大型の商品や重量物の商品の場合、専用の配送業者により搬入してもらえるので有用である。
【０００３】
このような大型の商品の例として、家具が挙げられる。家具についても、多数の業者により通信販売が行われている。特に、インターネットを介して家具の販売を行う業者の場合、インターネット上に家具の写真等の画像情報を掲載し、通信販売の弱点である実物を見て購入することができない点を補っている。
【０００４】
しかしながら、家具の場合は、住居に配置されて使用するものであるため、現在居住している住居やこれから居住しようとしている住居との機能性またはデザイン性の相性や、他の家具との組み合わせも重要である。そのため、購入しようとしている者にとって、家具単体の画像情報を見てもイメージがわかず、購入の判断が難しいことも多い。そのため、家具の通信販売では、住居に実際に配置した場合のイメージをどのように提供できるかが重要である。
【０００５】
例えば、特許文献１には、建築物の三次元モデルから、建築物の内部空間の画像を作成する内観画像作成装置が開示されている。特許文献１に記載の内観画像作成装置では、空間の平面形状、空間の開口、空間に配置されている建具、設備若しくは家具に基づき、所定の視点から空間の内観画像を作成するように構成されている。
【先行技術文献】
【特許文献】
【０００６】
【特許文献１】特開２０１７−１７４３１０号公報
【発明の概要】
【発明が解決しようとする課題】
【０００７】
しかしながら、特許文献１に記載の内観画像作成装置では、通信販売で実際に販売されている家具の画像情報を内覧画像に表示させるものではないため、現在居住している住居やこれから居住しようとしている住居との組み合わせのイメージを沸かせることはできないものであった。
【０００８】
そこで、本開示では、実際の住居に購入候補の家具が配置された状態の三次元空間を提示することが可能な情報提供装置、情報提供システム、情報提供方法及び情報提供プログラムについて説明する。
【課題を解決するための手段】
【０００９】
本開示の一態様における情報提供装置は、ユーザ情報を取得するユーザ情報取得部と、ユーザから、部屋の間取り情報の入力を受け付ける間取り情報受付部と、受け付けた間取り情報に基づき、３Ｄモデル化された三次元空間を生成する三次元空間生成部と、ユーザ情報、及び間取り情報に基づき、あらかじめ記憶されている家具情報からユーザに適した家具情報を選択し、選択された家具情報に係る家具を三次元空間に配置する家具配置部と、家具が配置された三次元空間をユーザへ提示する三次元空間提示部と、を備える。
【００１０】
本開示の一態様における情報提供システムは、情報提供装置と、ユーザ端末と、を備える情報提供システムであって、情報提供装置は、ユーザ情報を取得するユーザ情報取得部と、ユーザ端末から、部屋の間取り情報を受信する間取り情報受付部と、受け付けた間取り情報に基づき、３Ｄモデル化された三次元空間を生成する三次元空間生成部と、ユーザ情報、及び間取り情報に基づき、あらかじめ記憶されている家具情報からユーザに適した家具情報を選択し、選択された家具情報に係る家具を三次元空間に配置する家具配置部と、家具が配置された三次元空間をユーザ端末へ送信する三次元空間提示部と、を備え、ユーザ端末は、ユーザから、部屋の間取り情報の入力を受け付けて情報提供装置へ送信する間取り情報送信部と、家具が配置された三次元空間を情報提供装置から受信し、ユーザへ表示する三次元空間表示部と、を備える。
【００１１】
本開示の一態様における情報提供方法は、ユーザ情報取得部が行う、ユーザ情報を取得するユーザ情報取得ステップと、間取り情報受付部が行う、ユーザから、部屋の間取り情報の入力を受け付ける間取り情報受付ステップと、三次元空間生成部が行う、受け付けた間取り情報に基づき、３Ｄモデル化された三次元空間を生成する三次元空間生成ステップと、家具配置部が行う、ユーザ情報、及び間取り情報に基づき、あらかじめ記憶されている家具情報からユーザに適した家具情報を選択し、選択された家具情報に係る家具を三次元空間に配置する家具配置ステップと、三次元空間提示部が行う、家具が配置された三次元空間を前記ユーザへ提示する三次元空間提示ステップと、を備える。
【００１２】
また、本開示の一態様における情報提供プログラムは、ユーザ情報を取得するユーザ情報取得ステップと、ユーザから、部屋の間取り情報の入力を受け付ける間取り情報受付ステップと、受け付けた間取り情報に基づき、３Ｄモデル化された三次元空間を生成する三次元空間生成ステップと、ユーザ情報、及び間取り情報に基づき、あらかじめ記憶されている家具情報からユーザに適した家具情報を選択し、選択された家具情報に係る家具を三次元空間に配置する家具配置ステップと、家具が配置された三次元空間をユーザへ提示する三次元空間提示ステップと、を電子計算機に実行させる。
【発明の効果】
【００１３】
本開示によれば、ユーザから部屋の間取り情報の入力を受け付け、間取り情報に基づく三次元空間を生成し、ユーザに適した家具情報を選択してその家具を三次元空間に配置し、ユーザへ提示する。そのため、ユーザから受け付けた実際の住居の間取り情報に、家具情報に係る家具が配置された状態を提示することができる。これにより、ユーザは、実際の住居に購入候補の家具が配置された状態の三次元空間によるイメージを視覚的に把握することが可能になる。
【図面の簡単な説明】
【００１４】
【図１】本開示の一実施形態に係る情報提供システム１を示す機能ブロック構成図である。
【図２】図１のユーザ端末２００を示す機能ブロック構成図である。
【図３】図１の情報提供システム１の動作を示すフローチャートである。
【図４】図２の表示部２２０に表示される、間取り情報の撮影の例を示す模式図である。
【図５】図２の表示部２２０に表示される、嗜好情報の入力例を示す模式図である。
【図６】図１の三次元空間生成部１３４によって生成された三次元空間Ｒの例を示す模式図である。
【図７】図１の家具ＤＢ１２３の格納例を示す模式図である。
【図８】図２の表示部２２０に表示される、三次元空間の表示例を示す模式図である。
【図９】図２の表示部２２０に表示される、家具情報の提示例を示す模式図である。
【図１０】本開示の一実施形態に係る情報提供システム１Ａを示す機能ブロック構成図である。
【図１１】本開示の一実施形態に係る情報提供システム１Ｂを示す機能ブロック構成図である。
【図１２】本開示の一実施形態に係るコンピュータ７００を示す機能ブロック構成図である。
【発明を実施するための形態】
【００１５】
以下、本開示の実施形態について図面を参照して説明する。なお、以下に説明する実施形態は、特許請求の範囲に記載された本開示の内容を不当に限定するものではない。また、実施形態に示される構成要素のすべてが、本開示の必須の構成要素であるとは限らない。
【００１６】
＜構成＞
図１は、本開示の実施形態に係る情報提供システム１を示すブロック構成図である。この情報提供システム１は、限定ではなく例として、家具の販売を行う業者によって運営される、商品である家具情報の提供を行うシステムであり、この業者の顧客であるユーザの部屋の間取り情報に基づく三次元空間に、販売する家具を配置した状態を提示するシステムである。情報提供システム１による三次元空間の提示は、例えば、全方位画像、全天球画像、または仮想現実（ＶＲ）の技術を用いて提供され、ユーザは、ユーザ端末を使用して、三次元空間に家具が配置された状態を把握する。
【００１７】
また、情報提供システム１による、三次元空間に配置される家具は、ユーザの属性情報や嗜好情報に基づいて選択される。そのため、この情報提供システム１では、ユーザの属性情報及び嗜好情報の入力を受け付ける。
【００１８】
情報提供システム１は、情報提供装置１００と、ユーザ端末２００と、ネットワークＮＷとを有している。情報提供装置１００と、ユーザ端末２００とは、ネットワークＮＷを介して相互に接続される。ネットワークＮＷは、通信を行うための通信網であり、限定ではなく例として、インターネット、イントラネット、ＬＡＮ（Local Area Network）、ＷＡＮ（Wide Area Network）、ワイヤレスＬＡＮ（Wireless LAN：ＷＬＡＮ）、ワイヤレスＷＡＮ（Wireless WAN：ＷＷＡＮ）、仮想プライベートネットワーク（Virtual Private Network：ＶＰＮ）等を含む通信網により構成されている。
【００１９】
情報提供装置１００は、ユーザから、ユーザの属性情報、部屋の間取り情報、ユーザの嗜好情報の入力を受け付け、間取り情報に基づく三次元空間を生成し、ユーザの属性情報及び嗜好情報からユーザに適した家具情報を選択してその家具を三次元空間に配置し、ユーザへ提示する装置である。この情報提供装置１００は、限定ではなく例として、各種Ｗｅｂサービスを提供するコンピュータ（デスクトップ、ラップトップ、タブレットなど）や、サーバ装置を含む装置等により構成されている。なお、サーバ装置は単体で動作するサーバ装置に限られず、ネットワークＮＷを介して通信を行うことで協調動作する分散型サーバシステムや、クラウドサーバでもよい。
【００２０】
ユーザ端末２００は、情報提供装置１００に対して、ユーザの属性情報、部屋の間取り情報、ユーザの嗜好情報を入力し、家具が配置された三次元空間の提示を受けるための、ユーザが使用する端末装置であり、限定ではなく例として、スマートフォンや、携帯端末、コンピュータ（デスクトップ、ラップトップ、タブレットなど）等により構成されている。このユーザ端末２００では、情報提供システム１のサービスの提供を受けるためのアプリがインストールされ、または情報提供装置１００にアクセスするためのＵＲＬ等が設定され、それらをタップまたはダブルクリック等して起動することにより、サービスが開始される。また、このユーザ端末２００は、ユーザの部屋の撮影をするためのカメラ機能を備えている。
【００２１】
情報提供装置１００は、通信部１１０と、記憶部１２０と、制御部１３０とを備える。
【００２２】
通信部１１０は、ネットワークＮＷを介してユーザ端末２００と有線または無線で通信を行うための通信インタフェースであり、互いの通信が実行出来るのであればどのような通信プロトコルを用いてもよい。この通信部１１０は、限定ではなく例として、ＴＣＰ／ＩＰ（Transmission Control Protocol/Internet Protocol）等の通信プロトコルにより通信が行われる。
【００２３】
記憶部１２０は、各種制御処理や制御部１３０内の各機能を実行するためのプログラムや入力データ等を記憶するものであり、限定ではなく例として、ＲＡＭ（Random Access Memory）、ＲＯＭ（Read Only Memory）等を含むメモリや、ＨＤＤ（Hard Disk Drive）、ＳＳＤ（Solid State Drive）、フラッシュメモリ等を含むストレージから構成される。また、記憶部１２０は、ユーザＤＢ１２１と、三次元空間ＤＢ１２２と、家具ＤＢ１２３とを記憶する。さらに、記憶部１２０は、ユーザ端末２００との間で通信を行った際のデータや、後述する各処理にて生成されたデータを一時的に記憶する。
【００２４】
ユーザＤＢ１２１には、情報提供システム１を運営する業者から家具を購入しようとするユーザを識別する識別データや、当該ユーザの年齢、性別、居住地といった属性情報が格納されている。ユーザの識別データは、情報提供システム１にログインするための情報であり、情報提供システム１で発行してもよく、ユーザの入力により決定してもよく、またはユーザのメールアドレス等であってもよい。
【００２５】
さらに、ユーザＤＢ１２１には、家具を購入しようとするユーザの嗜好情報が格納されている。嗜好情報とは、ユーザの家の居室や家具についての好みの情報である。具体的には、家の居室や家具のデザイン性、テイスト、色の情報、これらによる部屋の雰囲気、または使用する家具の機能性を示す情報であり、例えば、「アジアン」、「ヨーロッパ風」、「和風」、「ヴィンテージ」、「ダーク」、「アイボリー」、「ナチュラル」、「ロータイプ」といった情報である。この嗜好情報は、後述する嗜好情報取得部１３３により受け付けられ、前述の例のような文言からなるタグ情報が１または複数格納される。
【００２６】
三次元空間ＤＢ１２２には、ユーザの部屋の間取り情報から生成される、ユーザの部屋を模した三次元空間の情報が格納される。三次元空間の情報とは、具体的には、ユーザの部屋の間取り、部屋内部の寸法、床や壁の模様、ドアや窓、収納スペースの有無といった情報により生成された空間を構成するものの情報であり、後述するように、ユーザがユーザ端末２００のカメラ機能で撮影した部屋の画像情報から生成される情報である。この三次元空間の情報は、立体（３Ｄ）モデル化された情報である。
【００２７】
家具ＤＢ１２３には、情報提供システム１を運営する業者が販売する家具情報が格納されている。家具情報とは、具体的には、「ソファ」、「テーブル」といった家具の種類、「ヴィンテージ」、「ダーク」、「アイボリー」、「ナチュラル」といった家具のデザイン性やテイスト、色の情報、家具の寸法及び価格を示す情報である。
【００２８】
また、家具ＤＢ１２３には、後述する家具配置部１３５により三次元空間に家具を配置するための、家具の画像情報が格納されている。三次元空間は立体（３Ｄ）モデル化された情報であるため、その三次元空間に配置するための家具の画像情報も、立体（３Ｄ）モデル化された情報である。
【００２９】
制御部１３０は、記憶部１２０に記憶されているプログラムを実行することにより、情報提供装置１００の全体の動作を制御するものであり、限定ではなく例として、ＣＰＵ（Central Processing Unit）、ＭＰＵ（Micro Processing Unit）、ＧＰＵ（Graphics Processing Unit）、マイクロプロセッサ（Microprocessor）、プロセッサコア（Processor core）、マルチプロセッサ（Multiprocessor）、ＡＳＩＣ（Application-Specific Integrated Circuit）、ＦＰＧＡ（Field Programmable Gate Array）を含む装置等から構成される。制御部１３０の機能として、属性情報取得部（ユーザ情報取得部）１３１と、間取り情報受付部１３２と、嗜好情報取得部（ユーザ情報取得部）１３３と、三次元空間生成部１３４と、家具配置部１３５と、三次元空間提示部１３６とを備えている。この属性情報取得部１３１、間取り情報受付部１３２、嗜好情報取得部１３３、三次元空間生成部１３４、家具配置部１３５、及び三次元空間提示部１３６は、記憶部１２０に記憶されているプログラムにより起動されて情報提供装置１００にて実行される。
【００３０】
属性情報取得部１３１は、ユーザ端末２００から情報提供装置１００へアクセスするユーザの属性情報を、通信部１１０を介して受け付ける。ユーザの属性情報は、限定ではなく例として、ユーザの年齢、性別、居住地の情報や、情報提供装置１００で閲覧した家具の情報、情報提供システム１を運営する業者から購入した家具の情報が含まれる。この属性情報は、ユーザが情報提供システム１に会員登録をする際や、当該業者から家具を購入する際に入力する、ユーザの住所、氏名、連絡先、決済手段等の情報入力の際に受け付けられる。受け付けられたユーザの属性情報は、ユーザＤＢ１２１に格納される。なお、属性情報取得部１３１は、ユーザの属性情報を他のＷｅｂサービス等から自動的に取得してもよい。
【００３１】
間取り情報受付部１３２は、ユーザ端末２００からユーザの部屋の間取り情報を、通信部１１０を介して受け付ける。部屋の間取り情報は、限定ではなく例として、ユーザの操作によりユーザ端末２００が撮影した、ユーザの部屋の静止画による画像情報または動画による映像情報を含むが、ユーザの操作によりユーザ端末２００から入力された間取りの情報、部屋内部の寸法の情報、または不動産業者等から提供されている間取り図の情報であってもよい。本実施形態では、ユーザが撮影した部屋の画像情報を例に説明する。また、ここでいう部屋とは、ユーザが実際に居住している部屋とは限られず、これから入居しようとしている部屋（例えば、不動産物件の内覧中に撮影した画像情報や映像情報）であってもよい。
【００３２】
ユーザの撮影による、ユーザの部屋の画像情報の取得の例について、以下に説明する。ユーザは、ユーザ端末２００を操作して部屋の壁面方向を撮影し、部屋の水平方向における所定の位置、例えば角の位置を開始位置として設定し、撮影を開始する。その状態で、ユーザ端末２００を左右いずれかの方向へ向きを移動させて回転し、撮影しながら部屋の中で略一周して部屋の壁面に向けた画像情報を、全方向について取得する。このとき、ユーザ端末２００による部屋の壁面方向の撮影は、動画撮影でもよく、静止画の連続撮影でもよく、被写体として部屋の壁面と天井及び床が含まれた状態で撮影されていることが望ましい。このユーザ端末２００により撮影された画像情報や映像情報が情報提供装置１００へ送信され、通信部１１０を介して間取り情報受付部１３２が取得する。間取り情報受付部１３２は、例えば部屋の所定の位置、例えば角の位置を特徴点として設定し、その位置からの座標の変位情報として間取り情報を取得する。取得されたユーザの部屋の画像情報は、記憶部１２０に一時的に記憶される。
【００３３】
嗜好情報取得部１３３は、ユーザ端末２００から、ユーザの部屋の好みを示す嗜好情報を、通信部１１０を介して受け付ける。嗜好情報取得部１３３では、当該ユーザの嗜好情報として、前述のような家の居室や家具のデザイン性やテイスト、色の情報、これらによる部屋の雰囲気を取得するために、これらの情報についての質問をユーザ端末２００へ送信し、その質問に対する回答を受け付けて嗜好情報として受け付ける。受け付けた嗜好情報は、ユーザＤＢ１２１に格納される。なお、嗜好情報取得部１３３は、ユーザの嗜好情報を他のＷｅｂサービス等から自動的に取得してもよい。
【００３４】
三次元空間生成部１３４は、間取り情報受付部１３２で受け付けたユーザの部屋の間取り情報に基づいて、ユーザの部屋を模した三次元空間を生成する。具体的には、三次元空間生成部１３４はユーザ端末２００により撮影された画像情報や映像情報の解析を行い、ユーザの部屋の間取り、部屋内部の寸法の情報を抽出し、ユーザの部屋を模して立体（３Ｄ）モデル化された三次元空間として生成する。また、三次元空間生成部１３４は、床や壁の模様、ドアや窓、収納スペースの有無といった情報を抽出してもよく、これらの情報からユーザの部屋を模して立体（３Ｄ）モデル化された三次元空間を生成してもよい。さらに、三次元空間生成部１３４は、撮影された画像情報や映像情報の解析を行い、ユーザの部屋の用途（例えば、一人暮らし用のワンルーム、複数室存在する住居のリビングルーム、等）やテイスト（例えば、ヴィンテージ、ダーク、等）の情報を抽出してもよい。この三次元空間は、例えば、全方位画像または全天球画像により表現される。このとき、三次元空間生成部１３４では、画像情報や映像情報を解析し、被写体である部屋の壁面との距離に基づいて部屋内部の寸法を算出する。生成された三次元空間の情報は、三次元空間ＤＢ１２２に格納される。なお、三次元空間生成部１３４は、生成した三次元空間を、例えばユーザ端末２００の画面上に表示するため、二次元の平面上に投影するための座標変換を行ってもよい。
【００３５】
家具配置部１３５は、属性情報取得部１３１で受け付けた属性情報、間取り情報受付部１３２で受け付けた間取り情報、または嗜好情報取得部１３３で受け付けた嗜好情報に基づき、家具ＤＢ１２３に格納されている家具情報から当該ユーザに適した家具に係る家具情報を選択する。なお、家具配置部１３５が選択する家具は、１または複数の家具でもよく、これらを提示してユーザの選択により決定してもよい。このとき、同様の種類の家具を複数提示してもよく、複数の家具からなるセットを提示してもよい。さらに、家具配置部１３５は、三次元空間生成部１３４にて生成された、立体（３Ｄ）モデル化された三次元空間に対して、立体（３Ｄ）モデル化された家具の画像情報を配置する。このとき、家具配置部１３５は、家具ＤＢ１２３に格納されている家具情報から、家具の寸法や、家具の種類を示す物品情報、外観を示す形状情報、色情報、または価格情報に基づいて家具情報を選択し、三次元空間に配置する。なお、家具配置部１３５は、あらかじめ定められたルールに従って家具の画像情報を三次元空間に配置してもよい。このルールは、例えば「ドアの前に家具を配置しない。」、「窓を遮蔽するように家具を配置しない（窓が遮蔽されない高さの家具であればよい）。」のように定められたものである。
【００３６】
家具配置部１３５は、限定ではなく例として、当該ユーザや、当該属性を有する他のユーザが、情報提供システム１を運営する業者から過去に購入した購入情報（図示は省略する）から、属性情報取得部１３１で受け付けた属性情報に基づいて当該ユーザの好みに近い家具であると判定し、当該ユーザに適した家具に係る家具情報として選択する。例えば、属性情報に基づいて、ユーザを○○県在住の２０代女性、△△県在住の４０代男性、のようなセグメントごとに分類し、セグメントごとに見られる購買行動の特徴から、ユーザの好みに近い家具の種類、形状、価格帯の家具情報に基づいて家具ＤＢ１２３から選択してもよい。
【００３７】
また、家具配置部１３５は、限定ではなく例として、間取り情報受付部１３２で受け付けた間取り情報からその部屋の雰囲気を示す雰囲気情報を決定し、当該雰囲気情報に属する家具を、当該ユーザに適した家具に係る家具情報として選択する。例えば、間取り情報の画像情報や映像情報の解析結果から、部屋の雰囲気を「アジアン」、「ヨーロッパ風」といった雰囲気情報に分類し、該当する雰囲気の家具情報をユーザの好みに近い家具情報として家具ＤＢ１２３から選択してもよい。
【００３８】
また、家具配置部１３５は、限定ではなく例として、嗜好情報取得部１３３で受け付けた嗜好情報から当該ユーザの嗜好情報を決定し、当該嗜好情報に属する家具を、当該ユーザに適した家具に係る家具情報として選択する。例えば、嗜好情報取得部１３３による質問への回答から、ユーザの嗜好情報を「ヴィンテージ」、「ダーク」、「アイボリー」といった嗜好情報に分類し、該当する家具情報をユーザの好みに近い家具情報として家具ＤＢ１２３から選択してもよい。
【００３９】
三次元空間提示部１３６は、家具配置部１３５にて家具を配置した三次元空間を、通信部１１０を介してユーザ端末２００へ送信し、ユーザへ提示する。このとき、三次元空間提示部１３６は、三次元空間生成部１３４にて生成され、家具配置部１３５にて家具が配置された立体（３Ｄ）モデル化された三次元空間及び家具の画像情報を提示する。提示される三次元空間は、例えば、全方位画像または全天球画像により表現される。
【００４０】
また、三次元空間提示部１３６は、三次元空間の情報と共に、配置された家具の家具情報、例えば家具の物品情報、形状情報、色情報、または価格情報を、通信部１１０を介してユーザ端末２００へ送信し、ユーザへ提示する。ユーザが家具の外観だけではなく、名称や価格等のような情報も、家具購買の決定に際して、ユーザにとって必要だからである。
【００４１】
図２は、図１のユーザ端末２００を示す機能ブロック構成図である。ユーザ端末２００は、通信部２１０と、表示部２２０と、操作部２３０と、記憶部２４０と、制御部２５０とを備える。
【００４２】
通信部２１０は、ネットワークＮＷを介して情報提供装置１００と有線または無線で通信を行うための通信インタフェースであり、互いの通信が実行できるのであればどのような通信プロトコルを用いてもよい。この通信部２１０は、限定ではなく例として、ＴＣＰ／ＩＰ等の通信プロトコルにより通信が行われる。
【００４３】
表示部２２０は、ユーザから入力された操作内容や、情報提供装置１００からの送信内容を表示するために用いられるユーザインタフェースであり、液晶ディスプレイ等から構成される。表示部２２０では、ユーザが入力する属性情報、部屋の間取り情報、嗜好情報や、情報提供装置１００から送信されて提示される、家具が配置された三次元空間の情報を表示する。
【００４４】
操作部２３０は、ユーザが操作指示を入力するために用いられるユーザインタフェースであり、キーボードやマウス、タッチパネル等から構成される。操作部２３０では、ユーザの属性情報や嗜好情報が入力される。
【００４５】
記憶部２４０は、各種制御処理や制御部２５０内の各機能を実行するためのプログラム、入力データ等を記憶するものであり、限定ではなく例として、ＲＡＭ、ＲＯＭ等を含むメモリや、ＨＤＤ、ＳＳＤ、フラッシュメモリ等を含むストレージから構成される。また、記憶部２４０は、情報提供装置１００と通信を行ったデータを一時的に記憶する。
【００４６】
制御部２５０は、記憶部２４０に記憶されているプログラムを実行することにより、ユーザ端末２００の全体の動作を制御するものであり、限定ではなく例として、ＣＰＵ、ＭＰＵ、ＧＰＵ、マイクロプロセッサ、プロセッサコア、マルチプロセッサ、ＡＳＩＣ、ＦＰＧＡを含む装置等から構成される。制御部２５０の機能として、属性情報送信部２５１と、間取り情報送信部２５２と、嗜好情報送信部２５３と、三次元空間表示部２５４とを備えている。この属性情報送信部２５１、間取り情報送信部２５２、嗜好情報送信部２５３、及び三次元空間表示部２５４は、記憶部２４０に記憶されているプログラムにより起動されてユーザ端末２００にて実行される。
【００４７】
属性情報送信部２５１は、ユーザの属性情報の入力を操作部２３０から受け付け、通信部２１０を介して情報提供装置１００へ送信する。送信された属性情報は、情報提供装置１００の属性情報取得部１３１で受け付けられる。
【００４８】
間取り情報送信部２５２は、ユーザの操作によりカメラ機能で撮影された部屋の間取り情報を受け付け、通信部２１０を介して情報提供装置１００へ送信する。送信された間取り情報は、情報提供装置１００の間取り情報受付部１３２で受け付けられる。
【００４９】
嗜好情報送信部２５３は、ユーザの嗜好情報の入力を操作部２３０から受け付け、通信部２１０を介して情報提供装置１００へ送信する。送信された属性情報は、情報提供装置１００の嗜好情報取得部１３３で受け付けられる。
【００５０】
三次元空間表示部２５４は、情報提供装置１００の三次元空間提示部１３６から送信された家具が配置された三次元空間の情報を、通信部２１０を介して受け付ける。受け付けた三次元空間の情報は、表示部２２０に表示される。なお、この三次元空間は、ユーザ端末２００と同期されたＶＲゴーグル等に表示させてもよい。
【００５１】
＜処理の流れ＞
図３を参照しながら、情報提供システム１が実行する、情報提供処理の流れの一例について説明する。図３は、図１の情報提供システム１の動作を示すフローチャートである。
【００５２】
ステップＳ１０１の処理として、情報提供装置１００では、情報提供システム１によるサービスの提供を受けるために、ユーザ認証が行われる。そのため、例えば、ユーザの操作によりユーザ端末２００でユーザの年齢、性別、居住地の情報が入力されてユーザ登録が行われる。このとき、ユーザ端末２００の属性情報送信部２５１では、ユーザの属性情報が入力され、情報提供装置１００の属性情報取得部１３１では、ユーザの属性情報が通信部１１０を介して受け付けられ、ユーザＤＢ１２１に格納される。また、情報提供システム１にログインするため、アカウント情報とパスワードの入力要求が行われ、入力された情報に基づいて登録されている情報と一致するか照合することで、ユーザ認証が行われる。一致した場合、情報提供装置１００にログインされる。
【００５３】
ステップＳ１０２の処理として、ユーザ端末２００の間取り情報送信部２５２では、ユーザの操作により部屋の間取り情報がカメラ機能で撮影されて情報提供装置１００へ送信される。情報提供装置１００の間取り情報受付部１３２では、ユーザの部屋の間取り情報が通信部１１０を介して受け付けられる。
【００５４】
図４は、図２の表示部２２０に表示される、間取り情報の撮影の例を示す模式図である。ユーザ端末２００の操作により間取り情報送信部２５２が起動されると、ユーザ端末２００のカメラ機能が起動して撮影状態になり、ユーザ端末２００に備えるＣＣＤカメラ等の撮影によりユーザの部屋が撮影され、図４に示すように、表示部２２０に表示される。
【００５５】
図４に示すように、例えば、ユーザの部屋の壁面Ｗ１と、壁面Ｗ１と垂直方向に接する壁面Ｗ２と、壁面Ｗ１及び壁面Ｗ２の下部に水平方向に接する床Ｆ１と、により構成される部屋が表示部２２０に表示される。また、間取り情報送信部２５２による間取り情報を開始する位置を決定するための基準線Ｖ１が、表示部２２０に垂直方向に表示される。この基準線Ｖ１を矢印Ｘ方向へ移動させ、部屋の壁面の所定の位置、例えば壁面Ｗ１と壁面Ｗ２との間に設けられる隅Ｃ１に合わせるようにユーザ端末２００を移動させ、基準線Ｖ１と隅Ｃ１とが重なったときに間取り情報の撮影を開始する。
【００５６】
次に、基準線Ｖ１を矢印Ｙ方向へ移動させ、撮影しながら部屋の壁面に沿ってユーザ端末２００を部屋の中で略一周させ、部屋の壁面に向けた画像情報を、全方向について取得する。これにより、ユーザの部屋の間取り情報を、全方位画像または全天球画像として取得する。この間取り情報は、情報提供装置１００へ送信される。
【００５７】
ステップＳ１０３の処理として、情報提供装置１００の嗜好情報取得部１３３では、ユーザの嗜好情報についての質問が送信され、ユーザ端末２００の表示部２２０に表示される。嗜好情報送信部２５３では、ユーザの操作によりユーザの嗜好情報が入力されて情報提供装置１００へ送信される。情報提供装置１００の嗜好情報取得部１３３では、ユーザの嗜好情報が通信部１１０を介して受け付けられる。
【００５８】
図５は、図２の表示部２２０に表示される、嗜好情報の入力例を示す模式図である。情報提供装置１００からユーザの嗜好情報についての質問が送信されると、その質問内容及び回答の選択肢が、図５に示すように、ユーザ端末２００の表示部２２０に表示される。
【００５９】
図５に示すように、例えば、ユーザの嗜好情報の１つである、家の居室や家具のテイストを選択する質問文Ｔ１が表示され、選択ボタンＢ１，Ｂ２，Ｂ３が表示部２２０に表示される。選択ボタンＢ１，Ｂ２，Ｂ３は、家の居室や家具のテイストについて、それぞれ「アイボリー」、「ホワイト」、「ナチュラル」と回答するためのボタンである。この質問に対して、ユーザは選択ボタンＢ１，Ｂ２，Ｂ３のいずれか１つを選択（表示部２２０上でタップ）すると、その回答が嗜好情報送信部２５３で受け付けられ、情報提供装置１００へ送信される。
【００６０】
ステップＳ１０４の処理として、情報提供装置１００の三次元空間生成部１３４では、ステップＳ１０２で受け付けたユーザの部屋の間取り情報に基づいて、ユーザの部屋を模した三次元空間が生成される。ユーザの部屋の間取り、部屋内部の寸法、床や壁の模様、ドアや窓、収納スペースの有無といった情報が抽出され、ユーザの部屋を模した立体（３Ｄ）モデル化された三次元空間が生成される。
【００６１】
図６は、図１の三次元空間生成部１３４によって生成された三次元空間Ｒの例を示す模式図である。ステップＳ１０４では、ユーザの部屋の間取りが、図４に示す基準線Ｖ１からの距離の情報として算出され、図６に示すように、壁面Ｗ１、壁面Ｗ２、窓Ｗ３，及びドアＷ４のように三次元空間Ｒが生成される。このとき、ドアや窓、収納スペースの有無といった情報も含まれてもよい。なお、図６では図示を省略しているが、床や壁の装飾的な形状や模様も表現されてもよい。
【００６２】
ステップＳ１０５の処理として、家具配置部１３５では、ステップＳ１０１で受け付けられた属性情報、ステップＳ１０２で受け付けられた間取り情報、またはステップＳ１０３で受け付けられた嗜好情報に基づき、家具ＤＢ１２３に格納されている家具情報から当該ユーザに適した家具に係る家具情報が選択される。
【００６３】
図７は、図１の家具ＤＢ１２３の格納例を示す模式図である。家具ＤＢ１２３には、図７に示す商品ＩＤに紐づいて、図７に示す家具ＤＢ１２３の列名に対応して、商品名、商品画像、テイスト、寸法データ、及び価格の各情報が含まれる。
【００６４】
商品ＩＤは、家具情報を識別する識別情報である。商品名は、家具の種類を示す物品名であり、例えば、「ソファ」、「テーブル」、「収納棚」のような情報が格納されている。商品画像は、三次元空間に家具を配置するための、家具の画像情報である。テイストは、家具のテイストを示す情報であり、例えば、「アイボリー」、「ホワイト」、「ナチュラル」のような情報が格納されている。寸法データは、当該家具の実際の寸法が、例えば幅、奥行き、高さの情報として格納されている。価格は、当該家具の価格情報である。ステップＳ１０５では、これらの情報から、当該ユーザに適した家具に係る家具情報が選択される。
【００６５】
ステップＳ１０６の処理として、家具配置部１３５では、ステップＳ１０４で生成された、立体（３Ｄ）モデル化された三次元空間に対して、ステップＳ１０５で選択された、立体（３Ｄ）モデル化された家具の画像情報が配置される。
【００６６】
図８は、図２の表示部２２０に表示される、三次元空間の表示例を示す模式図である。ステップＳ１０６では、図６に示すような三次元空間に対して、ステップＳ１０５で選択された、図７の商品画像に示すような立体（３Ｄ）モデル化された家具の画像情報が配置される。図８に示す例では、家具の例としてソファセットＦ１が配置されている。後述するステップＳ１０７において、ユーザ端末２００へ送信されて表示部２２０に表示される。
【００６７】
ステップＳ１０７の処理として、三次元空間提示部１３６では、ステップＳ１０６で家具が配置された三次元空間が、通信部１１０を介してユーザ端末２００へ送信される。ユーザ端末２００の三次元空間表示部２５４では、受け付けた三次元空間の情報が、図８に示すように表示部２２０に表示される。このとき、三次元空間提示部１３６では、配置された家具の家具情報も送信されるので、三次元空間表示部２５４では、受け付けた家具情報も表示される。
【００６８】
図９は、図２の表示部２２０に表示される、家具情報の提示例を示す模式図である。図９に示すように、図８に示す三次元空間の表示に対して、ステップＳ１０７で受け付けた家具情報が、図９に示すように家具情報Ｔ２として表示される。家具情報Ｔ２は、例えば商品名（家具の物品名）、価格、及び当該家具を参照するためのＷｅｂページへのリンク情報が表示されている。ユーザは、この家具情報も参照することで、購入するか否か判断することができる。
【００６９】
＜効果＞
以上のように、本実施形態に係る情報提供装置、情報提供システム及び情報提供方法では、間取り情報受付部によりユーザの部屋の間取り情報が受け付けられ、三次元空間生成部により間取り情報に基づく三次元空間が生成され、家具配置部によりユーザに適した家具情報が選択されてその家具が三次元空間に配置され、ユーザに提示される。そのため、ユーザから受け付けた実際の住居の間取り情報に、家具情報に係る家具が配置された状態を提示することができる。これにより、ユーザは、実際の住居に購入候補の家具が配置された状態の三次元空間によるイメージを視覚的に把握することが可能になる。
【００７０】
また、属性情報受付部によりユーザの属性情報が受け付けられ、嗜好情報受付部によりユーザの部屋の好みを示す嗜好情報が受け付けられ、家具配置部により、ユーザの属性情報及び嗜好情報に基づいてユーザに適した家具情報が選択される。これにより、ユーザの好みに近い家具を提示することが可能になる。
【００７１】
（実施形態２）
図１０は、本開示の実施形態２に係る情報提供システム１Ａを示す機能ブロック構成図である。この情報提供システム１Ａは、家具の販売を行う業者によって運営される、商品である家具情報の提供を行うシステムであり、この業者の顧客であるユーザの部屋の間取り情報に基づく三次元空間に、販売する家具を配置した状態を提示するシステムである点において、実施形態１に係る情報提供システム１と同様であるが、制御部１３０の機能として購入受付部１３７を備えている点において、実施形態１に係る情報提供システム１と異なる。その他の構成及び処理の流れについては、実施形態１と同様である。
【００７２】
本実施形態では、実施形態１において提示した家具について、実際に購入するための手段を備えている。
【００７３】
購入受付部１３７は、ユーザ端末２００から、家具配置部１３５によって三次元空間に配置され、三次元空間提示部１３６によって提示された家具を、ユーザが実際に購入する旨の入力を受け付ける。
【００７４】
例えば、図９に示す家具情報Ｔ２を選択（表示部２２０上でタップ）すると、購入受付部１３７が起動して表示部２２０に購入手続きを行う画面（図示は省略する）が表示される。ユーザは、ユーザ端末２００の操作により決済方法等を入力し、決済を行う意思表示をすることにより、実際に当該家具の販売が行われる。
【００７５】
本実施形態によれば、上記実施形態１の効果に加え、購入受付部により、ユーザによる家具の購入手続きが行われる。これにより、家具の購入手続きを容易に行うことができるので、家具の販売業者にとって、購入手続きが面倒であることによる顧客獲得の機会逸失を防止できる。
【００７６】
（実施形態３）
図１１は、本開示の実施形態３に係る情報提供システム１Ｂを示す機能ブロック構成図である。この情報提供システム１Ｂは、家具の販売を行う業者によって運営される、商品である家具情報の提供を行うシステムであり、この業者の顧客であるユーザの部屋の間取り情報に基づく三次元空間に、販売する家具を配置した状態を提示するシステムである点において、実施形態１に係る情報提供システム１と同様であるが、制御部１３０の機能として変更削除受付部１３８を備えている点において、実施形態１に係る情報提供システム１と異なる。その他の構成及び処理の流れについては、実施形態１と同様である。
【００７７】
本実施形態では、実施形態１において提示した家具について位置の移動、変更または削除をするための機能を備えている。
【００７８】
変更削除受付部１３８は、ユーザ端末２００から、家具配置部１３５によって三次元空間に配置され、三次元空間提示部１３６によって提示された家具をこの三次元空間における他の位置へ移動、家具の変更、または削除する旨の入力を受け付ける。
【００７９】
例えば、図９に示すソファセットＦ１を当該三次元空間内の他の位置へ移動させるために表示部２２０上で所定の操作（例えば、当該家具を選択して他の位置へスワイプ）を行うと、ソファセットＦ１が移動後の位置に表示される。また、例えば、図９に示すソファセットＦ１を他の家具に変更したり、削除したりするために表示部２２０上で所定の操作（例えば、当該家具を選択して画面外へスワイプ）を行うと、家具ＤＢ１２３から再度他の家具が選択され、または表示部２２０に表示されている三次元空間から削除される。
【００８０】
本実施形態によれば、上記実施形態１の効果に加え、変更削除受付部により、提示された家具の変更または削除が行われる。これにより、家具配置部により選択された家具が好みに合わない場合、家具を変更したり削除したりすることができるので、ユーザの好みにより近い家具を提示することが可能である。
【００８１】
（実施形態４（プログラム））
図１２は、コンピュータ（電子計算機）７００の構成の例を示す機能ブロック構成図である。コンピュータ７００は、ＣＰＵ７０１、主記憶装置７０２、補助記憶装置７０３、インタフェース７０４を備える。
【００８２】
ここで、実施形態１ないし３に係る属性情報取得部１３１と、間取り情報受付部１３２と、嗜好情報取得部１３３と、三次元空間生成部１３４と、家具配置部１３５と、三次元空間提示部１３６と、購入受付部１３７と、変更削除受付部１３８とを構成する各機能を実現するための制御プログラム（情報提供プログラム）の詳細について説明する。これらの機能ブロックは、コンピュータ７００に実装される。そして、これらの各構成要素の動作は、プログラムの形式で補助記憶装置７０３に記憶されている。ＣＰＵ７０１は、プログラムを補助記憶装置７０３から読み出して主記憶装置７０２に展開し、当該プログラムに従って前述の処理を実行する。また、ＣＰＵ７０１は、プログラムに従って、上述した記憶部に対応する記憶領域を主記憶装置７０２に確保する。
【００８３】
当該プログラムは、具体的には、コンピュータ７００において、ユーザ情報を取得するユーザ情報取得ステップと、ユーザから、部屋の間取り情報の入力を受け付ける間取り情報受付ステップと、受け付けた間取り情報に基づき、３Ｄモデル化された三次元空間を生成する三次元空間生成ステップと、ユーザ情報、及び間取り情報に基づき、あらかじめ記憶されている家具情報からユーザに適した家具情報を選択し、選択された家具情報に係る家具を三次元空間に配置する家具配置ステップと、家具が配置された三次元空間をユーザへ提示する三次元空間提示ステップと、をコンピュータによって実現する制御プログラムである。
【００８４】
なお、補助記憶装置７０３は、一時的でない有形の媒体の一例である。一時的でない有形の媒体の他の例としては、インタフェース７０４を介して接続される磁気ディスク、光磁気ディスク、ＣＤ−ＲＯＭ、ＤＶＤ−ＲＯＭ、半導体メモリ等が挙げられる。また、このプログラムがネットワークを介してコンピュータ７００に配信される場合、配信を受けたコンピュータ７００が当該プログラムを主記憶装置７０２に展開し、前述の処理を実行してもよい。
【００８５】
また、当該プログラムは、前述した機能の一部を実現するためのものであってもよい。さらに、当該プログラムは、前述した機能を補助記憶装置７０３に既に記憶されている他のプログラムとの組み合わせで実現するもの、いわゆる差分ファイル（差分プログラム）であってもよい。
【００８６】
以上、開示に係る実施形態について説明したが、これらはその他の様々な形態で実施することが可能であり、種々の省略、置換および変更を行なって実施することが出来る。これらの実施形態および変形例ならびに省略、置換および変更を行なったものは、特許請求の範囲の技術的範囲とその均等の範囲に含まれる。
【符号の説明】
【００８７】
１，１Ａ，１Ｂ  情報提供システム、１００，１００Ａ，１００Ｂ  情報提供装置、１１０  通信部、１２０  記憶部、１２１  ユーザＤＢ、１２２  三次元空間ＤＢ、１２３  家具ＤＢ、１３０  制御部、１３１  属性情報受付部、１３２  間取り情報受付部、１３３  嗜好情報受付部、１３４  三次元空間生成部、１３５  家具配置部、１３６  三次元空間提示部、１３７  購入受付部、１３８  変更削除受付部、２００  ユーザ端末、２１０  通信部、２２０  表示部、２３０  操作部、２４０  記憶部、２５０  制御部、２５１  属性情報送信部、２５２  間取り情報送信部、２５３  嗜好情報送信部、２５４  三次元空間表示部、ＮＷ  ネットワーク
【要約】
【課題】実際の住居に購入候補の家具が配置された状態の三次元空間を提示することが可能な情報提供装置、システム、方法及びプログラムを提供する。
【解決手段】情報提供システム１の情報提供装置１００は、その機能として、ユーザの属性情報を受け付ける属性情報取得部１３１と、ユーザの部屋の間取り情報を受け付ける間取り情報受付部１３２と、ユーザの部屋の好みを示す嗜好情報を受け付ける嗜好情報取得部１３３と、ユーザの部屋の間取り情報に基づいて、ユーザの部屋を模した三次元空間を生成する三次元空間生成部１３４と、属性情報、間取り情報、または嗜好情報に基づき、当該ユーザに適した家具に係る家具情報を選択して三次元空間に配置する家具配置部１３５と、家具を配置した三次元空間をユーザへ提示する三次元空間提示部１３６と、を備える。
【選択図】図１【図１】
0006838129.tif 000002
【図２】
0006838129.tif 000003
【図３】
0006838129.tif 000004
【図４】
0006838129.tif 000005
【図５】
0006838129.tif 000006
【図６】
0006838129.tif 000007
【図７】
0006838129.tif 000008
【図８】
0006838129.tif 000009
【図９】
0006838129.tif 000010
【図１０】
0006838129.tif 000011
【図１１】
0006838129.tif 000012
【図１２】
0006838129.tif 000013